(57)【要約】  戻り止め（３．６）を有する複数の弾性アーム（３．３）を含むニードル・ハブ（３）と、遠位先端（２．１）を有する針（２）と、ニードル・ハブ（３）に嵌め込み式に連結されたニードルシールド（４）とを備える針安全デバイス（１）について述べられている。ニードルシールド（４）は、弾性アーム（３．３）上の戻り止め（３．６）と係合するように適合された複数の軸方向のスロット（４．５）を含み、戻り止め（３．６）は、スロット（４．５）内で軸方向に可動である。ニードルシールド（４）は、分離壁（４．７）によってスロット（４．５）から分離された複数の溝（４．６）を含み、溝（４．６）は、戻り止め（３．６）と係合するように適合される。ニードルシールド（４）がニードル・ハブ（３）に対して第１の位置にあるとき、ニードルシールド（４）は、針（２）の遠位先端（２．１）を覆い、戻り止め（３．６）は、スロット（４．５）内で係合される。ニードルシールド（４）がニードル・ハブ（３）に対して第２の位置にあるとき、針（２）の遠位先端（２．１）は、ニードルシールド（４）内の開口部（４．３）を通って突出し、戻り止め（３．６）は、スロット（４．５）内で係合される。ニードルシールド（４）がニードル・ハブ（３）に対して第３の位置にあるとき、ニードルシールド（４）は、針（２）の遠位先端（２．１）を覆い、戻り止め（３．６）は、溝（４．６）内で係合される。第３の位置では、戻り止め（３．６）は、分離壁（４．７）に当接し、ニードル・ハブ（３）に対するニードルシールド（４）の近位方向の移動を防止するように適合される。
2014528304.tif 000002
【特許請求の範囲】
【請求項１】
戻り止め（３．６）を有する複数の弾性アーム（３．３）を含むニードル・ハブ（３）と；
遠位先端（２．１）を有する針（２）と；
ニードル・ハブ（３）に嵌め込み式に連結されたニードルシールド（４）とを備え、ニードルシールド（４）は、弾性アーム（３．３）上の戻り止め（３．６）と係合するように適合された複数の軸方向のスロット（４．５）を含み、戻り止め（３．６）は、スロット（４．５）内で軸方向に可動であり、ニードルシールド（４）は、分離壁（４．７）によってスロット（４．５）から分離された複数の溝（４．６）を含み、溝（４．６）は、戻り止め（３．６）と係合するように適合され；
ここで、ニードルシールド（４）がニードル・ハブ（３）に対して第１の位置にあるとき、ニードルシールド（４）は、針（２）の遠位先端（２．１）を覆い、かつ戻り止め（３．６）は、スロット（４．５）内で係合され、
ニードルシールド（４）がニードル・ハブ（３）に対して第２の位置にあるとき、針（２）の遠位先端（２．１）は、ニードルシールド（４）内の開口部（４．３）を通って突出し、かつ戻り止め（３．６）は、スロット（４．５）内で係合され、
ニードルシールド（４）がニードル・ハブ（３）に対して第３の位置にあるとき、ニードルシールド（４）は、針（２）の遠位先端（２．１）を覆い、かつ戻り止め（３．６）は、溝（４．６）内で係合され、
第３の位置では、戻り止め（３．６）は、分離壁（４．７）に当接し、そしてニードル・ハブ（３）に対するニードルシールド（４）の近位方向の移動を防止するように適合される、針安全デバイス（１）。
【請求項２】
ニードル・ハブ（３）は、アーム（３．３）が偏向したときに戻り止め（３．６）を受けるように適合された凹部（３．７）を含む、請求項１に記載の針安全デバイス（１）。
【請求項３】
戻り止め（３．６）は、近位傾斜表面（３．１０）を含む、請求項１または２に記載の針安全デバイス（１）。
【請求項４】
分離壁（４．７）は、戻り止め（３．６）の近位傾斜表面（３．１０）と係合するように適合された遠位傾斜表面（４．９）を有する、請求項３に記載の針安全デバイス（１）。
【請求項５】
分離壁（４．７）の遠位傾斜表面（４．９）と戻り止め（３．６）の近位傾斜表面（３．１０）との係合により、アーム（３．３）が半径方向に偏向する、請求項４に記載の針安全デバイス（１）。
【請求項６】
分離壁（４．７）は、第３の位置で戻り止め（３．６）に当接するように適合された近位当接表面（４．１０）を有する、請求項１〜５のいずれか１項に記載の針安全デバイス（１）。
【請求項７】
ニードル・ハブ（３）に対して第１の位置および第３の位置に向かってニードルシールド（４）を付勢するばね（５）
をさらに備える、請求項１〜６のいずれか１項に記載の針安全デバイス（１）。
【請求項８】
破断可能なウェブ（３．９）によってニードル・ハブ（３）に連結されたカラー（３．８）
をさらに備える、請求項１〜７のいずれか１項に記載の針安全デバイス（１）。
【請求項９】
ニードルシールド（４）は、ウェブ（３．９）と係合するように適合された近位端部分（４．８）を含む、請求項８に記載の針安全デバイス（１）。
【請求項１０】
ニードルシールド（４）が第１の位置から第２の位置に移動しているとき、近位端部分（４．８）は、ウェブ（３．９）を破断する、請求項９に記載の針安全デバイス（１）。
【請求項１１】
近位端部分（４．８）は、カラー（３．８）と係合するためのラッチを含む、請求項９に記載の針安全デバイス（１）。
【発明の詳細な説明】
【背景技術】
【０００１】
選択された用量の薬剤を含む薬剤送達デバイス（たとえば、ペン注射器、シリンジ、自動注射器など）は、薬剤を患者に投与するための周知のデバイスである。使用前後に送達デバイスの針を覆うための安全デバイスもまた周知である。典型的には、安全デバイスのニードルシールドは、医療用針を囲むように手動または自動で移動される。最適にサイズ設定され機能する安全デバイスを開発するために、様々な試みがなされている。しかし、依然として最適な安全ニードル・アセンブリが求められている。
【発明の概要】
【発明が解決しようとする課題】
【０００２】
本発明の目的は、誤って針を穿刺し負傷する危険性を最小限に抑え、安全に取り扱え、薬剤が送達される前後に針の安全をもたらす改良された安全ニードル・アセンブリを提供することである。
【課題を解決するための手段】
【０００３】
例示的な実施形態では、針安全デバイスが、戻り止め（ｄｅｔｅｎｔ）を有する複数の弾性アームを含むニードル・ハブと、遠位先端を有する針と、ニードル・ハブに嵌め込み式に連結されたニードルシールドとを備える。ニードルシールドは、弾性アーム上の戻り止めと係合するように適合された複数の軸方向のスロットを含み、戻り止めは、スロット内で軸方向に可動である。ニードルシールドは、分離壁によってスロットから分離された複数の溝を含み、これらの溝は、戻り止めと係合するように適合される。ニードルシールドがニードル・ハブに対して第１の位置にあるとき、ニードルシールドは、針の遠位先端を覆い、戻り止めは、スロット内で係合される。ニードルシールドがニードル・ハブに対して第２の位置にあるとき、針の遠位先端は、ニードルシールド内の開口部を通って突出し、戻り止めは、スロット内で係合される。ニードルシールドがニードル・ハブに対して第３の位置にあるとき、ニードルシールドは、針の遠位先端を覆い、戻り止めは、溝内で係合される。第３の位置では、戻り止めは、分離壁に当接し、ニードル・ハブに対するニードルシールドの近位方向の移動を防止するように適合される。
【０００４】
例示的な実施形態では、ニードル・ハブは、アームが偏向したとき戻り止めを受けるように適合された凹部を含む。戻り止めは、近位傾斜表面を含み、分離壁は、戻り止めの近位傾斜表面と係合するように適合された遠位傾斜表面を有する。分離壁の遠位傾斜表面と戻り止めの近位傾斜表面の係合により、アームが半径方向に偏向する。
【０００５】
例示的な実施形態では、分離壁は、第３の位置で戻り止めに当接するように適合された近位当接表面を有する。
【０００６】
例示的な実施形態では、針安全デバイスは、第１の位置および第３の位置に向かってニードル・ハブに対してニードルシールドを付勢するばねをさらに備える。
【０００７】
例示的な実施形態では、針安全デバイスは、破断可能なウェブ（ｂｒｅａｋａｂｌｅ  ｗｅｂｓ）によってニードル・ハブに連結されたカラーをさらに備える。ニードルシールドは、それらのウェブと係合するように適合された近位端部分を含む。ニードルシールドが第１の位置から第２の位置に移動しているとき、この近位端部分は、ウェブを破断する。この近位端部分は、カラーに係合するためのラッチ（ｌａｔｃｈ）を含む。
【０００８】
本発明の他の適用可能性の範囲は、以下に示す詳細な説明から明らかになろう。しかし、詳細な説明および特定の例は、本発明の好ましい実施形態を示してはいるが、当業者にはこの詳細な説明から本発明の精神および範囲内で様々な変更および修正が明らかになるので、例として与えられているにすぎないことを理解されたい。
【０００９】
本発明は、以下に与えられている詳細な説明、および例示のために与えられているにすぎず、したがって本発明を限定しない添付の図面から、より十分に理解されることになる。
【図面の簡単な説明】
【００１０】
【図１】本体、ニードルシールド、および圧縮ばねを備える針安全デバイスの例示的な実施形態の分解斜視図である。
【図２Ａ】初期位置にある針安全デバイスの例示的な実施形態の斜視図である。
【図２Ｂ】初期位置にある針安全デバイスの例示的な実施形態の斜視図である。
【図３Ａ】送達位置にある針安全デバイスの例示的な実施形態の斜視図である。
【図３Ｂ】送達位置にある針安全デバイスの例示的な実施形態の斜視図である。
【図４Ａ】ロックされた位置にある針安全デバイスの例示的な実施形態の斜視図である。
【図４Ｂ】ロックされた位置にある針安全デバイスの例示的な実施形態の斜視図である。
【発明を実施するための形態】
【００１１】
対応する部分は、すべての図において同じ符号でマークされている。
【００１２】
図１から図４Ｂは、本発明による針安全デバイス１の例示的な実施形態を示す。例示的な実施形態では、針安全デバイス１は、ニードル・ハブ３と、ニードル・ハブ３に連結された針２と、ニードル・ハブ３に嵌め込み式に連結されたニードルシールド４と、ニードル・ハブ３に付勢力を加える圧縮ばね５とを含む。針安全デバイス１は、薬剤送達デバイス（たとえば、シリンジ、ペン注射器、自動注射器など）に着脱可能にカップリングされても、送達デバイスと一体に形成されてもよい。
【００１３】
針安全デバイス１は、薬剤の注射前後に針２の遠位先端２．１を覆うことによって、誤って針を穿刺し負傷する危険性を低減するように働く。
【００１４】
図１は、本発明による針安全デバイス１の例示的な実施形態の分解斜視図を示す。安全デバイス１は、送達デバイスにカップリングされるように適合されたニードル・ハブ３を含む。たとえば、ニードル・ハブ３は、送達デバイスにカップリングするために、ねじ山、スナップ嵌め、バヨネット嵌め、摩擦嵌めなどを含むことができる。他の例示的な実施形態では、ニードル・ハブ３は、送達デバイスと一体成形されてもよい。ニードル・ハブ３は、実質的に中空の円筒として形作られても、送達デバイスにカップリングするように適合される任意の他の形状であってもよい。
【００１５】
針２は、遠位先端２．１がニードル・ハブ３の遠位面３．１を超えて遠位に延びるようにニードル・ハブ３にカップリングされてもよい。針２の近位先端は、遠位面３．１の近位に延び、送達デバイス内の薬剤の容器のセプタムを穿孔するように適合されてもよい。
【００１６】
例示的な実施形態では、ニードル・ハブ３は、ニードル・ハブ３の側壁３．４内に一体化された２つの弾性アーム３．３を含む。弾性アーム３．３の遠位端３．５は、ニードル・ハブ３に対して半径方向に偏向することが可能である。各遠位端３．５は、ニードル・ハブ３の側壁３．４の円周を超える戻り止め３．６を含む。ニードル・ハブ３の遠位面３．１は、アーム３．３の遠位端３．５に隣接して位置する（たとえば、遠位面３．１の周縁部３．２内に形成された）２つの凹部３．７を含み、これらの凹部は、アーム３．３が半径方向に偏向されたときアーム３．３の遠位端３．５を受けるように適合される。アーム３．３がニードル・ハブ３の長手方向軸ｘに向かって半径方向に偏向されたとき、戻り止め３．６は、側壁３．４と実質的に同じ平面内にあることができる。
【００１７】
例示的な実施形態では、ニードル・ハブ３は、ニードル・ハブ３に連結されたカラー３．８を備える。カラー３．８は、環状要素、または環状要素の一部であってよい。カラー３．８は、１つまたはそれ以上の連結用ウェブ３．９によってニードル・ハブ３の側壁３．４に連結されてもよい。ウェブ３．９は、カラー３．８を破断しニードル・ハブ３から離すための所定の破断点を画定することができる。
【００１８】
例示的な実施形態では、ニードルシールド４は、ニードル・ハブ３に嵌め込み式にカップリングされる。ニードルシールド４の遠位壁４．２は、（たとえば、注射中に）針２が通過することを可能にするための開口部４．３を含む。ニードルシールド４の側壁４．４は、ニードル・ハブ３のアーム３．３と係合するように適合される軸方向のスロット４．５を有することができる。各スロット４．５は、アーム３．３上のそれぞれの戻り止め３．６と係合することができ、戻り止め３．６は、ニードルシールド４がニードル・ハブ３に対して移動するときスロット４．５内で軸方向に可動とすることができる。戻り止め３．６とスロット４．５の係合により、ニードルシールド４のニードル・ハブ３に対する回転を防止することができる。スロット４．５のそれぞれは、ニードルシールド４内で、それぞれのスロット４．５の近位に配置され、戻り止め３．６を受けるように設計された溝４．６を伴う。各スロット４．５、および対応する溝４．６は、分離壁４．７によって分離されてもよい。
【００１９】
例示的な実施形態では、ニードルシールド４の近位端部分４．８は、カラー３．８と側壁４．４の間の空間６内に嵌め込まれるように適合されてもよい。
【００２０】
例示的な実施形態では、圧縮ばね５は、遠位ではニードルシールド４の遠位端４．２内に、また近位ではニードル・ハブ３の遠位面３．１内に置かれる。
【００２１】
図２Ａおよび図２Ｂは、ニードルシールド４がニードル・ハブ３に対して第１の伸長位置にある初期状態（たとえば、使用前）にある針安全デバイス１を示す。第１の位置では、針２の遠位先端２．１がニードルシールド４によって完全に覆われる。アーム３．３上の戻り止め３．６は、スロット４．５内で係合され、スロット４．５の近位端に位置する。例示的な実施形態では、圧縮ばね５には、予め応力を加え、ニードルシールド４の近位端を、連結用ウェブ３．９を破断するには十分でない力でカラー３．８に押し付けてもよい。ばね５には予め応力が加えられるので、戻り止め３．６は分離壁４．７に当接することができ、これは、ニードルシールド４がニードル・ハブ３に対して遠位に移動するのを防止する。
【００２２】
図２Ｂにおける例示的な実施形態に示されているように、戻り止め３．６は、近位傾斜表面３．１０を含むことができ、分離壁４．７は、戻り止め３．６の近位傾斜表面３．１０に係合するように適合された遠位傾斜表面４．９を含むことができる。さらに、シールド４の近位端部分４．８は、カラー３．８に係合するように適合されたラッチを含むことができる。
【００２３】
図３Ａおよび図３Ｂは、ニードルシールド４がニードル・ハブ３に対して第２の後退位置にある中間状態（たとえば、針安全デバイス１が注射部位に押し付けられる注射中）にある針安全デバイス１を示す。近位に向かう力がニードルシールド４に加えられたとき、ニードルシールド４は、ニードル・ハブ３に対して近位に移動し、ニードルシールド４の近位端部分４．８にウェブ３．９を破断させ、カラー３．８をニードル・ハブ３から分離する。ニードルシールド４が第２の位置に達したとき、針の遠位先端２．１がニードルシールド４の遠位の開口部４．３を通って突出する。さらに、第２の位置では、戻り止め３．６は、スロット４．５内で遠位に移動してから、圧縮ばね５および／またはスロット４．５の遠位端によって停止される。
【００２４】
図４Ａおよび図４Ｂは、ニードルシールド４がニードル・ハブ３に対して第３の伸長位置にある最終状態（たとえば、注射後、針安全デバイス１が注射部位から除去された後）にある針安全デバイス１を示す。針安全デバイス１が注射部位から除去されたとき、各戻り止め３．６が分離壁４．７に当たるまで、ばね５がニードルシールド４をニードル・ハブに対して強制的に遠位に移動させる。戻り止め３．６が分離壁４．７と係合するとき、戻り止め３．６の近位傾斜表面３．１０が分離壁４．７の遠位傾斜表面と係合し、それによりアーム３．３が軸ｘに向かって半径方向に偏向する。戻り止め３．６が分離壁４．７を飛び越したとき、アーム３．３は、その偏向していない位置に戻り、戻り止め３．６が溝４．６内で固定される。
【００２５】
第３の位置では、ニードルシールド４が針２の遠位先端２．１を覆うので、針安全デバイス１は、針安全状態（ｎｅｅｄｌｅ−ｓａｆｅ）である。また、戻り止め３．６が分離壁４．７の当接面に当接するので、ニードルシールド４は、ニードル・ハブ３に対して近位に移動することができない。
【００２６】
当業者なら、本発明の完全な範囲および精神から逸脱することなしに、本明細書に記載の装置、方法および／またはシステム、ならびに実施形態の様々な構成要素に修正（追加および／または除去）を加えることができ、本発明は、そのような修正、ならびにその均等物のいずれか、およびすべてを包含することを理解するであろう。
【図１】
2014528304.tif 000003
【図２Ａ】
2014528304.tif 000004
【図２Ｂ】
2014528304.tif 000005
【図３Ａ】
2014528304.tif 000006
【図３Ｂ】
2014528304.tif 000007
【図４Ａ】
2014528304.tif 000008
【図４Ｂ】
2014528304.tif 000009
【国際調査報告】
2014528304.tif 000010
2014528304.tif 000011
2014528304.tif 000012